【手続補正書】
【提出日】平成24年6月13日(2012.6.13)
【手続補正１】
【補正対象書類名】特許請求の範囲
【補正対象項目名】全文
【補正方法】変更
【補正の内容】
【特許請求の範囲】
【請求項１】
第１インクによる背景と該背景と重ねる第２インクによる画像とを形成する印刷装置において、
（Ａ）前記第１インクを噴射する第１ノズル列と前記第２インクを噴射する第２ノズル列とを有し、媒体に対して前記第１ノズル列及び第２ノズル列と交差する主走査方向に相対移動しつつ前記第１インクと前記第２インクを噴射するヘッドと、
（Ｂ）前記媒体を前記ヘッドに対して前記第１ノズル列及び前記第２ノズル列に沿う副走査方向に所定量だけ相対移動させる副走査部と、
（Ｃ）（ｃ１）前記第１ノズル列のうち前記所定量に対応するノズルから前記第１インクを噴射して前記副走査方向の相対移動を行うことなく前記所定量に対応する幅を有するバンド領域上にドットを形成する第１ドット形成動作と、
（ｃ２）前記バンド領域に対応する前記第２ノズル列のノズルから前記第２インクを噴射して前記第２インクのドットを形成すること、及び、前記媒体を前記副走査方向に前記所定量分だけ相対移動すること、を複数回行って前記バンド領域上に前記第２インクのドットを形成する第２ドット形成動作と、
を前記ヘッド及び前記副走査部に行わせる制御をするコントローラと、
を備える印刷装置。
【請求項２】
前記第１ドット形成動作と前記第２ドット形成動作は、異なる前記主走査方向の相対移動において行われる、請求項１に記載の印刷装置。
【請求項３】
前記第２ノズル列のノズルから前記第２インクを噴射してドットを形成する際、前記第１インクのドットよりも小さいドットが形成される、請求項１又は２に記載の印刷装置。
【請求項４】
前記第１インク及び前記第２インクを噴射させるために前記ヘッドに印加される駆動信号を生成する駆動信号生成部を備え、該駆動信号生成部は、前記第１ドット形成動作と前記第２ドット形成動作とで異なる駆動信号を生成する、請求項１〜３のいずれかに記載の印刷装置。
【請求項５】
前記媒体における前記第１インク及び前記第２インクの硬化を促進させるための光を照射する照射装置を備え、前記第１ドット形成動作と前記第２ドット形成動作とで照射強度が異なる、請求項１〜４のいずれかに記載の印刷装置。
【請求項６】
前記第２ドット形成動作によって、前記副走査方向の各画素を埋めるように前記第２インクのドットが形成される、請求項１〜５のいずれかに記載の印刷装置。
【請求項７】
前記第２ドット形成動作によって、前記主走査方向の各画素を埋めるように前記第２インクのドットが形成される、請求項１〜６のいずれかに記載の印刷装置。
【請求項８】
第１インクを噴射する第１ノズル列と第２インクを噴射する第２ノズル列を有するヘッドを媒体に対して前記第１ノズル列及び第２ノズル列と交差する主走査方向に相対移動しつつ、前記媒体上に前記第１インクによる背景と該背景と重ねる前記第２インクによる画像とを形成する印刷方法において、
前記第１ノズル列のうち所定幅に対応するノズルから前記第１インクを噴射して、前記媒体の前記第１ノズル列に沿う副走査方向の相対移動を行うことなく、前記所定幅に対応する幅を有するバンド領域上を埋めることと、
前記媒体に対して前記主走査方向に相対移動しつつ前記バンド領域に対応する第２ノズル列のノズルから前記第２インクを噴射してドットを形成すること、及び、前記媒体を前記副走査方向に前記所定幅に対応する量だけ相対移動すること、を複数回行って前記バンド領域上に前記第２インクのドットを形成することと、
を含む印刷方法。
【手続補正２】
【補正対象書類名】明細書
【補正対象項目名】０００５
【補正方法】変更
【補正の内容】
【０００５】
上記目的を達成するための主たる発明は、
第１インクによる背景と該背景と重ねる第２インクによる画像とを形成する印刷装置において、
（Ａ）前記第１インクを噴射する第１ノズル列と前記第２インクを噴射する第２ノズル列とを有し、媒体に対して前記第１ノズル列及び第２ノズル列と交差する主走査方向に相対移動しつつ前記第１インクと前記第２インクを噴射するヘッドと、
（Ｂ）前記媒体を前記ヘッドに対して前記第１ノズル列及び前記第２ノズル列に沿う副走査方向に所定量だけ相対移動させる副走査部と、
（Ｃ）（ｃ１）前記第１ノズル列のうち前記所定量に対応するノズルから前記第１インクを噴射して前記副走査方向の相対移動を行うことなく前記所定量に対応する幅を有するバンド領域上にドットを形成する第１ドット形成動作と、
（ｃ２）前記バンド領域に対応する前記第２ノズル列のノズルから前記第２インクを噴射して前記第２インクのドットを形成すること、及び、前記媒体を前記副走査方向に前記所定量分だけ相対移動すること、を複数回行って前記バンド領域上に前記第２インクのドットを形成する第２ドット形成動作と、
を前記ヘッド及び前記副走査部に行わせる制御をするコントローラと、
を備える印刷装置である。
【手続補正３】
【補正対象書類名】明細書
【補正対象項目名】０００９
【補正方法】変更
【補正の内容】
【０００９】
第１インクによる背景と該背景と重ねる第２インクによる画像とを形成する印刷装置において、
（Ａ）前記第１インクを噴射する第１ノズル列と前記第２インクを噴射する第２ノズル列とを有し、媒体に対して前記第１ノズル列及び第２ノズル列と交差する主走査方向に相対移動しつつ前記第１インクと前記第２インクを噴射するヘッドと、
（Ｂ）前記媒体を前記ヘッドに対して前記第１ノズル列及び前記第２ノズル列に沿う副走査方向に所定量だけ相対移動させる副走査部と、
（Ｃ）（ｃ１）前記第１ノズル列のうち前記所定量に対応するノズルから前記第１インクを噴射して前記副走査方向の相対移動を行うことなく前記所定量に対応する幅を有するバンド領域上にドットを形成する第１ドット形成動作と、
（ｃ２）前記バンド領域に対応する前記第２ノズル列のノズルから前記第２インクを噴射して前記第２インクのドットを形成すること、及び、前記媒体を前記副走査方向に前記所定量分だけ相対移動すること、を複数回行って前記バンド領域上に前記第２インクのドットを形成する第２ドット形成動作と、
を前記ヘッド及び前記副走査部に行わせる制御をするコントローラと、
を備える印刷装置。
このようにすることで、背景画像を印刷しつつカラー画像を印刷する場合において、背景画像の上に印刷される画像を高解像度で形成することができる。
【手続補正４】
【補正対象書類名】明細書
【補正対象項目名】００１２
【補正方法】変更
【補正の内容】
【００１２】
第１インクを噴射する第１ノズル列と第２インクを噴射する第２ノズル列を有するヘッドを媒体に対して前記第１ノズル列及び第２ノズル列と交差する主走査方向に相対移動しつつ、前記媒体上に前記第１インクによる背景と該背景と重ねる前記第２インクによる画像とを形成する印刷方法において、
前記第１ノズル列のうち所定幅に対応するノズルから前記第１インクを噴射して、前記媒体の前記第１ノズル列に沿う副走査方向の相対移動を行うことなく、前記所定幅に対応する幅を有するバンド領域上を埋めることと、
前記媒体に対して前記主走査方向に相対移動しつつ前記バンド領域に対応する第２ノズル列のノズルから前記第２インクを噴射してドットを形成すること、及び、前記媒体を前記副走査方向に前記所定幅に対応する量だけ相対移動すること、を複数回行って前記バンド領域上に前記第２インクのドットを形成することと、
を含む印刷方法。
このようにすることで、背景画像を印刷しつつカラー画像を印刷する場合において、背景画像の上に印刷される画像を高解像度で形成することができる。